Podtech/llm-jp-corpus-v4-ja_patent huggingface dataset:
(57)【要約】      （修正有）【課題】日差しが強くても、上半身や顔を快適な体感温度にできる自動車の冷房装置を提供する。【解決手段】前面ガラス及び運転席と助手席の側面ガラス以外の車両１に固定された窓ガラス２を二重のガラス板で構成し、そのガラス板間に液体又は気体が流通できる流路２ｂを形成し、その流路２ｂにエアコン６で冷やした液体又は気体の冷媒をポンプ７で流して循環させる。また、車両１の天井３の室内面に液体又は気体が流通できるチューブ状の流路３ｂを付着し、その流路３ｂにエアコン６で冷やした液体又は気体の冷媒をポンプ７で流して循環させる。【選択図】図１
0003177974.tif 000002
【実用新案登録請求の範囲】
【請求項１】
車両の前面ガラス及び運転席と助手席の側面ガラス以外の車両に固定された窓ガラスを二重のガラス板で構成し、そのガラス板間に液体又は気体が流通できる流路を形成し、その流路に液体又は気体の冷媒をポンプで流して循環させるようにした、自動車の冷房装置。
【請求項２】
車両の天井の室内側に液体又は気体が流通できる流路を形成し、その流路に液体又は気体の冷媒をポンプで流して循環させるようにした、請求項１記載の自動車の冷房装置。
【考案の詳細な説明】
【技術分野】
【０００１】
本考案は、自動車の車内を冷房する装置に関する。
【背景技術】
【０００２】
従来、自動車の車内を冷房する装置として、エアコンディショナー（以下エアコンという）が広く普及している。
【０００３】
ところで、日差しが強いと、エアコンを作動させても上半身や顔が熱くて涼しさを感じにくいことがあり、設定温度を必要以上に低くしてしまって体調不良や燃費悪化を招くことがあった。また、日差しをカットするウインドフィルムも提供されているが、室温の上昇を抑える効果だけで、冷やす効果はなかった。
【先行技術文献】
【特許文献】
【０００４】
【特許文献１】特開平９−２６７６２９号公報
【考案の概要】
【考案が解決しようとする課題】
【０００５】
本考案が解決しようとする課題は、従来のこれらの問題点を解消し、日差しが強くても、上半身や顔を快適な体感温度に冷房できるようにすることにある。
【課題を解決するための手段】
【０００６】
かかる課題を解決した本考案の構成は、
１）  車両の前面ガラス及び運転席と助手席の側面ガラス以外の車両に固定された窓ガラスを二重のガラス板で構成し、そのガラス板間に液体又は気体が流通できる流路を形成し、その流路に液体又は気体の冷媒をポンプで流して循環させるようにした、自動車の冷房装置
２）  車両の天井の室内側に液体又は気体が流通できる流路を形成し、その流路に液体又は気体の冷媒をポンプで流して循環させるようにした、前記１）記載の自動車の冷房装置
にある。
【考案の効果】
【０００７】
本考案の前記１）記載の構成によれば、冷媒をポンプで送り出して窓ガラスの流路を循環させると、窓ガラス及びその近辺の空気が冷媒によって冷やされる。これによって、上半身や顔の体感温度が低下し、日差しが強くても涼しく感じるようになる。この装置を従来のエアコンと併用することで、設定温度を必要以上に低くすることなく車内を快適且つ適切な温度にすることができ、体調不良や燃費悪化を軽減できるようになる。
【０００８】
本考案の前記２）記載の構成によれば、冷媒をポンプで送り出して窓ガラスと天井の流路を循環させると、窓ガラスと天井及びその近辺の空気が冷媒によって冷やされる。したがって、前記１）記載の構成と比較して、頭部の体感温度がより低下する。
【図面の簡単な説明】
【０００９】
【図１】実施例の自動車の冷房装置の説明図である。
【図２】実施例の窓ガラスの拡大断面図である。
【図３】実施例の天井の拡大断面図である。
【考案を実施するための形態】
【００１０】
本考案の窓ガラスとしては、後面ガラス、後部座席の左右の側面ガラス、サンルーフのガラス等、固定された窓ガラスが挙げられる。前面ガラス、運転席と助手席の側面ガラスに本考案の冷房装置を設けると、保安基準に適合しない可能性がある。
【００１１】
流路としては、冷媒が流通可能な極細で、視野を妨げないように間隔をおいて縦又は横あるいは斜めの方向に複数本形成する。あるいは、窓ガラスのほぼ全面に極狭幅の空間を設けても良い。流路の形成手段としては、凹所を形成した２枚のガラス板を凹所の面同士で重ねてトンネル状に形成するか、又は窓ガラスの室内面に細長いチューブ状のものを付着しても良い。チューブ状のものは、視野を妨げないように透明又は半透明あるいは目立たない色の材質が望ましい。天井の流路としては、内装材に細長いチューブ状のものを付着する。また、天井の裏面（内装材の内側）に直接付着してボディを冷却できるようにしても良い。
【００１２】
冷媒としては、液体又は気体が利用でき、液体としては水、気体としては空気が用いられる。冷媒の冷却手段としては、エアコンの装置の内部やその冷風の吹出口までの途中位置に冷媒を流通させて冷却する方法がある。以下、本考案の実施例を図面に基づいて具体的に説明する。
【実施例】
【００１３】
本実施例の車両１の窓ガラス２は、図１〜３に示すように、２枚のガラス板２ａの片面に極細の凹所を一定間隔おいて複数本形成し、その凹所の面同士を重ね合わせて極細の流路２ｂを形成している。天井３の内装材３ａには、チューブ状の流路３ｂを複数本付着している。
【００１４】
供給管４と回収管５は、エアコン６内から窓ガラス２の流路２ｂと天井３の流路３ｂの間に渡って配管している。エアコン６内の区間は冷気が伝わりやすいように伝熱性に優れた素材を使用し、エアコン６から窓ガラス２と天井３までの区間は冷気が失われないように断熱性に優れる素材を使用している。ポンプ７はエアコン６内に設置している。冷媒は水を使用している。
【００１５】
エンジン（図示は省略）を始動してエアコン６を作動させると、冷やされた空気が車内に吹き出して冷房される。ポンプ７で冷媒を送り出すと、エアコン６内を通過中に冷やされ、供給管４を通じて窓ガラス２と天井３へ送り出され、回収管５を通じてエアコン６へ回収される。これによって、冷たい冷媒が窓ガラス２と天井３を連続的に流れて循環し、窓ガラス２と天井３及びその近辺の空気が常時冷やされる。
【００１６】
したがって、同乗者の上半身や頭部、顔の体感温度が低下して日差しが強くても涼しく感じるようになり、この装置をエアコン６と併用することで、同乗者は上半身も下半身も体感温度の差を感じにくくなる。よって、設定温度を必要以上に低くすることなく車内を快適且つ適切な温度にすることができ、体調不良や燃費悪化を軽減できるようになる。
【産業上の利用可能性】
【００１７】
本考案の技術は、乗用車、バス、トラック等の自動車の窓ガラスや天井に好適であるが、その他、鉄道、航空機、船舶等の窓ガラスや天井にも利用でき、さらにはビル、公共施設、店舗、飲食店等の窓ガラスや天井にも応用できる。
【符号の説明】
【００１８】
１    車両
２    窓ガラス
２ａ  ガラス板
２ｂ  流路
３    天井
３ａ  内装材
３ｂ  流路
４    供給管
５    回収管
６    エアコン
７    ポンプ
【図１】
0003177974.tif 000003
【図２】
0003177974.tif 000004
【図３】
0003177974.tif 000005
(57)【要約】      （修正有）【課題】カードゲームにおいて、１枚のカードが複数の役割を持てるようにしたゲームカードを提供する。【解決手段】可変カード１に、複数の役割３ａ、３ｂ、３ｃ、３ｄを表示する。この可変カード１と変更指示カードを一組とする。そして、変更指示カードの提示でカードの角度を変更することで、有効エリアを変更することができるようにする。なお、他の競技者の有効エリア変更済を確認できるように、全てのカードの裏面に地色・地紋などを施すと共に、全カードを一定の向きになるよう位置を合わせカット部６を設ける。【選択図】図１
0003177991.tif 000002
【実用新案登録請求の範囲】
【請求項１】
可変カードに、対角線で区切られた役割領域を設け、複数の役割を与え、各役割領域の内容を地色・地紋と記号・数字の組合せで構成する。複数の役割を持つ可変カードには、乱数表を含む一定のルールに基づき役割を割り振り、１枚の可変カードの役割領域には必ず異なる役割を表示して、全てのカードでも同じ役割領域は存在しないようにする。ゲームをする時は可変カードの有効エリアを使用する。そして、カードの角度を変えることで可変カードの有効エリアを変更できるようにするために、変更指示カードを組み合わせる。なお、有効エリアが正しく変更されていることを他の競技者が確認できるようにするために、可変カードの裏面に表面の地色・地紋と同じ位置に地色・地紋を施し、変更指示カード裏面にも同様の地色・地紋を施す。加えて、全てのカードを混ぜ合わせた時に全カードが一定の向きになるよう、位置合わせカット部を設ける。
【考案の詳細な説明】
【考案の概要】
【技術分野】
【０００１】  カードゲームに使うカード
【背景技術】
【０００２】  トランプゲームを始めとする従来のカードゲームは、１枚の札に１つの役割しか表示していないため、手札の組合せ次第で即座に勝敗の行方が予測された。また、ゲームの終盤になると手札や競技者の眼にさらされた札から他の競技者の手札や残りの札の予測が容易になり、単純な確率の問題として結果の可能性が予測され、ゲームへの興味が減少した。
【考案が解決しようとする課題】
【０００３】  カードゲームにおいて、１枚のカードが複数の役割を果たせるようにする。
【課題を解決するための手段】
【０００４】  可変カードに、対角線で区切られた役割領域を設け、複数の役割を表示する。
【０００５】  役割領域には、地色・地紋を施し、記号・数字を内容とする。
【０００６】  役割領域の地色・地紋および記号・数字の組合せは、乱数表を含む一定のルールに基づき、１枚の可変カード上の役割領域は必ず地色・地紋および記号・数字が異なり、全ての可変カードについても地色・地紋および記号・数字の組合せは異なる。
【０００７】  可変カードの有効エリアを、ゲームで使用する領域とする。
【０００８】  複数の役割領域を持った可変カードの角度を変更することで、有効エリアの役割を変更できるようにするため、可変カードの角度を変える指示をする変更指示カードを設け、可変カードと組み合わせて用いる。
【０００９】  有効エリアの変更が正しくされていることを他の競技者が確認できるようにするために、可変カードの裏面には表面の地色・地紋と同じ位置に地色・地紋を施し、変更指示カードの裏面にも可変カードと同様の地色・地紋を施す。
【００１０】  可変カードと変更指示カードの全てを混ぜ合わせた時に、全てのカードが一定の向きになるよう、可変カードと変更指示カードの同じ位置に、位置合わせカット部を設ける。
【考案の効果】
【００１１】  可変カードが複数の役割領域を持つと共に、変更指示カードの提示により可変カードの角度が変わり有効エリアの役割領域が変更する。これにより、手札の組合せを複数考えることができるようになり、またゲームの終了時まで結果の可能性の予測が難しくなり、ゲームへの興味が最後まで継続することができるようになった。
【図面の簡単な説明】
【００１２】
【図１】可変カードの表面の一例を示した平面図である。
【図２】可変カードの表面と裏面の地色・地紋の位置関係を示した平面図である。
【図３】ゲーム開始後の可変カード表面の有効エリアを示した平面図である。
【図４】変更指示カードの表面の一例を示した平面図である。
【図５】可変カードの数字の組合せの例である。
【図６】可変カード表面を９０度回転させた場合を例としたカードの動きである。
【符号の説明】
【００１３】１  可変カード
２  変更指示カード
３  役割領域
４  有効エリア
５  地色・地紋
６  位置合わせカット部
【図１】
0003177991.tif 000003
【図２】
0003177991.tif 000004
【図３】
0003177991.tif 000005
【図４】
0003177991.tif 000006
【図５】
0003177991.tif 000007
【図６】
0003177991.tif 000008
【手続補正書】
【提出日】平成24年6月6日(2012.6.6)
【手続補正１】
【補正対象書類名】実用新案登録請求の範囲
【補正対象項目名】全文
【補正方法】変更
【補正の内容】
【実用新案登録請求の範囲】
【請求項１】
カードゲームにおいて、（１）表面に複数の役割領域を設け、記号（スペード、ハート、クローバー、ダイヤ）、数字（１から１３）、地色または地紋によって１枚のカードに複数の異なる役割を表記し、５２枚全てのカードの役割領域においても重複する記号、数字、地色または地紋は存在しない可変カードと（２）可変カードの角度（９０度、１８０度、２７０度）を変更することを指示する文言を表面に表記した変更指示カードを組合せ、（３）可変カードの役割領域のうち最上部をゲームで使用する有効エリアとし、（４）可変カードの地色または地紋の同じ向きの右上隅に、また変更指示カード表面の右上隅に、角度４５度の切れ込みを入れて位置合わせカット部とし、（５）可変カード表面の地色または地紋と同じ位置関係の裏側にも同じ地色または地紋を施し、変更指示カードの裏面にも表面の上下を整え可変カードと同じ位置関係で同じ地色または地紋を施す、以上の（１）〜（５）の構成からなる可変カードと変更指示カードを組合せたゲームカード。
(57)【要約】      （修正有）【課題】実用性を維持しつつ、ファッション性や機能性を備えたよだれかけ（スタイ）を提供する。【解決手段】よだれかけ（スタイ）のａに柔らかい布帛二重織りガーゼ素材のプリント柄や先染めチェック柄を使用したショール型にする事によってファッショナブルであり、またリバーシブル仕様にする事によって外出時や着せる服によって何種類かのファッションを楽しめ、尚かつ裏面に細番手のカットソウに撥水加工を施した生地ｂを縫い付ける事によって表面から裏面への汚れの浸透を防ぐ事が出来る機能性を高め、柔らかく赤ちゃんに優しい着け心地に配慮した。ｃはドットボタンを使用してサイズを調整する。【選択図】図１
0003177995.tif 000002
【実用新案登録請求の範囲】
【請求項１】
柔らかい布帛二重織りガーゼ素材を使用したプリント柄や先染めチェック柄のリバーシブル・ショール型にする事によって外出時や着せる服により何種類かのファッションを楽しめ、尚かつ裏面に細番手カットソウ生地に撥水加工を施した生地を縫い付ける事によって表面から裏面への汚れの浸透を防ぎ、柔らかくて、赤ちゃんに優しい着け心地と機能性を高めたリバーシブル・ショール型のよだれかけ（スタイ）です。
【考案の詳細な説明】
【技術分野】
【０００１】  本考案は、ファッションアイテムに多様性と機能性を付けたよだれかけ（スタイ）に関するものである。
【考案の概要】
【考案が解決しようとする課題】
【０００２】  よだれかけ（スタイ）は、ファッション性や多様性を重視したものが少なく、またそれに商品の硬化や着け心地に配慮した機能性（汚れの浸透を防ぐ）を付加したものはなかった。本考案は、この課題を解消するためになされたものである。
【課題を解決するための手段】
【０００３】  ａに柔らかい布帛二重織りガーゼ素材を使用したプリント柄や先染めチェック柄のショール型にする事によってファッション性を高めリバーシブル仕様にする事によって多様性も兼ね備える商品とする。また裏面に細番手のカットソウ生地に撥水加工を施した生地ｂを縫い付ける事によって表面から裏面への汚れの浸透を防ぐ事が出来る機能性を高めると同時にその表生地の特性と共に商品が硬くなったり着け心地が悪くなるのを防ぐ事が可能です。
【考案の効果】
【０００４】  ａを柔らかい布帛二重織りガーゼ素材のリバーシブル・ショール型にする事によって服装の変化による何通りかのファッションを楽しめたり外出時の利便性が高まる効果があり、裏面に撥水加工を施した薄手カットソウ生地ｂを縫い付ける事によって表面から裏面への汚れの浸透を防ぐ事が出来ると同時に柔らかい商品化を実現し、赤ちゃんに優しい着け心地を可能にした。
【図面の簡単な説明】
【０００５】
【図１】  本考案の正面図である。
【考案を実施するための形態】
【０００６】  ａの裏面にｂを付ける。ｃをとめる。
【符号の説明】
【０００７】  ａ表面
ｂ裏面
ｃとめる部分
【図１】
0003177995.tif 000003
(57)【要約】      （修正有）【課題】肩及び首筋のコリ等を緩和させるシャツを提供する。【解決手段】シャツの肩裏、襟腰裏にゲルマニウムを練り込んだ素材を取り付ける。【選択図】図１
0003177998.tif 000002
【実用新案登録請求の範囲】
シャツの肩裏、襟腰裏に天然鉱石（ゲルマニウム）を練り込んだ素材を取り付けた構造。
【考案の詳細な説明】
【技術分野】
【０００１】この考案は、シャツの肩裏、襟腰裏に天然鉱石（ゲルマニウム）を練り込んだ素材を取り付けた構造。
【背景技術】
【０００２】シャツの肩裏、襟腰裏に天然鉱石（ゲルマニウム）をサブナノ単位にまで粉砕した鉱物粉末化合物を練り込むことで、ゲルマニウムの効果により身体の生体電流を活性化させ、血行を良くする事で肩、首筋のコリ等を緩和させる働きが有ります。
【考案が解決しようとする課題】
【０００３】従来のシャツに健康に関しての機能を付けているものはなく素材、色柄等で変化を付けている物が大半でした。
【考案の結果】
【０００４】シャツの肩裏、襟腰裏に天然鉱石（ゲルマニウム）を練り込んだ素材を取り付けた接触面の温度が３２℃以上になるとマイナス電子がイオン化して皮膚組織の下に浸透しその電子特性により接触面の血行を促進し筋肉のコリ、痛み、疲労を緩和させる働きが有ります。
【図面の簡単な説明】
【０００５】
【図１】シャツの肩裏、襟腰裏
【図２】襟腰裏
【符号の説明】
【０００６】１０  肩裏
１１  襟腰裏
１２  表肩
１３  上襟
【図１】
0003177998.tif 000003
【図２】
0003177998.tif 000004
【手続補正書】
【提出日】平成24年6月11日(2012.6.11)
【手続補正１】
【補正対象書類名】実用新案登録請求の範囲
【補正対象項目名】全文
【補正方法】変更
【補正の内容】
【実用新案登録請求の範囲】
【請求項１】
シャツの肩裏、襟腰裏にゲルマニウムを練り込んだ素材を取り付けたことを特徴とするシャツ。
(57)【要約】      （修正有）【課題】マウスを載せたまま収納でき、汚染区域と非汚染区域の境が明確な、歯科医院用のキャビネットを提供する。【解決手段】車輪付きの可動式キャビネットにおいて、引き出しの上段の上部に８ｃｍ程の隙間をもたせる。【選択図】図１
0003177992.tif 000002
【実用新案登録請求の範囲】
【請求項１】
収納可能なコンピューター台装備の歯科モービルキャビネット。
【考案の詳細な説明】
【考案の詳細な説明】
【技術分野】
【０００１】この考案は、収納可能なコンピューター台装備の歯科モービルキャビネットに関するものである。
【考案が解決しようとする課題】
【０００２】従来の歯科医院用稼動式キャビネットは、引き出しのみのキャビネットであったため、コンピューターやマウスの置き場がない状態で汚染区域と非汚染区域の境が不明確になっていた。
【課題を解決するための手段】
【０００３】本考案は、従来の歯科医院用稼動式キャビネットに稼動可能なコンピューター台を装備することにより治療現場において自由にコンピューターを使用でき、また汚染区域と非汚染区域の境を明確にすることができる様にした。
【考案の効果】
【０００４】本考案のように従来の歯科医院用稼動式キャビネットに稼動可能なコンピューター台を装備することにより治療現場において自由にコンピューターを使用できるようにすることによって、また汚染区域と非汚染区域の境を明確にすることができる様にした。
【図面の簡単な説明】
【図１】本考案の正面図である。
【図２】本考案の側面図である。
【図３】本考案の平面図である。
【符号の説明】１  稼動可能なコンピューター台
２  引き出し
３  キャスター
【図１】
0003177992.tif 000003
【図２】
0003177992.tif 000004
【図３】
0003177992.tif 000005
【手続補正書】
【提出日】平成24年6月6日(2012.6.6)
【手続補正１】
【補正対象書類名】実用新案登録請求の範囲
【補正対象項目名】全文
【補正方法】変更
【補正の内容】
【実用新案登録請求の範囲】
【請求項１】
車輪つきの可動式キャビネットにスライドのついた収納可能なテーブルを、引き出しの上段に８センチメートル程の隙間を上部にもたせる造作にすることにより、ノート型パソコンやコンピューター操作用のマウスがテーブルに載せたまま収納できる構造をもつ診療用キャビネット。
(57)【要約】      （修正有）【課題】脇の下に保冷剤やカイロを挟み脇の下を通る動脈・静脈を冷却・温暖させることにより体温の調整を計り、長時間効果を継続させることができる冷暖房剤収納具を提供する。【解決手段】偏平な撥水性を有する布でできた冷暖房材を収納する収納袋と、収納袋の入り口に設けられた肩掛けベルトと縛り紐からなる。【選択図】図１
0003177955.tif 000002
【実用新案登録請求の範囲】
【請求項１】
外側寸法が深さ２５０〜１００mm、巾２００〜１００ｍｍの偏平な撥水性を有する布でできた冷暖房材を収納する収納袋と、その収納袋の入り口両側に肩掛けベルトを設けると共に、収納袋の入り口を開閉するための縛り紐を取り付けたことを特徴とする冷暖房剤収納具。  
【請求項２】
前記の肩掛けベルトには滑り止めを設けたことを特徴とする請求項１記載の冷暖房剤収納具。
【請求項３】
前記の収納袋の外側寸法が深さ２３０〜１００ｍｍとしたことを特徴とする請求項１又は２のいずれかに記載の冷暖房剤収納具。
【請求項４】
前記の肩掛けベルトは脱着部品を設けたことを特徴とする請求項１ないし３のいずれかに記載の冷暖房剤収納具。
【請求項５】
収納袋の内側にタオル生地の袋を内装したことを特徴とする請求項１ないし４のいずれかに記載の冷暖房剤収納具。
【考案の詳細な説明】
【技術分野】
【０００１】
脇を通る動脈・静脈を保冷剤やカイロ等で冷却・温暖するすることで体温を調整する技術を用いて、それらを収納した袋を肩からぶら下げて脇の下に装着し、保冷剤やカイロなどを入れ、それらの効果が切れたら、入れ替え出来ることにより効果を持続させ、なおかつシャツの下に隠せるので、ファッションも目立たなく装着なくする技術に関する。
【背景技術】
【０００２】
脇を通る動脈・静脈を冷やす技術はあったが丸型の冷却具やベルトで縛り付けたり、見た目が目立つものしかなく、なおかつ長時間効果を持続させる方法がなかった。（例えば特許文献１参照）
【先行技術文献】
【特許文献】
【０００３】
【特許文献１】実開平７−４３３２８号公報
【考案の概要】
【考案が解決しようとする課題】
【０００４】
暑い時のスポーツや労働時、体温が上がってバテそうになる時に体温を下げたり寒いときのスポーツや労働時に体が冷えて動きにくくなる時に体温を上げることでなおかつ、それらの効果を長時間持続させることである。
従来は脇を冷却する方法はあったが中身を入れ替えて持続させる方法がなかった。
しかも中身を入れ替えることで冷却用・温暖用で両方の効果を出すことができる。
【課題を解決するための手段】
【０００５】
暑い時のスポーツや労働時に肩からぶら下げて、脇に挟める収納袋の中に保冷剤を入れ
脇の下を通る動脈、静脈を冷却することにより、冷却された血液が体内をめぐることにより体温を下げる。
寒い時のスポーツや労働時は、収納袋の中にカイロなど温暖するもの等を入れ、脇の下を通る
動脈、静脈を温暖することにより温暖された血液が体内をめぐり体温を上げる。
また、保冷剤やカイロの効果がきれた時は、簡単に入れ替えをできるようにすることで
長時間効果を持続することができる。
【考案の効果】
【０００６】
脇の下に太い動脈、静脈が流れているから冷却・温暖することにより即効で体温を下げたり上げたり調節することができ、効き目がきれても中身を取り替えることができるので取り替えて効果を継続させることが可能であり冷却用・温暖用と両方の効果を出すことができる。
【図面の簡単な説明】
【０００７】
【図１】冷暖房剤収納具の斜視図
【図２】使用する場合の手順を示す図であり、aは保冷剤をタオル生地袋に収納する図、bは保冷剤を収納袋に収納する図、cは収納袋の入り口を閉じる図
【図３】冷暖房剤収納具を装着した図
【実施例】
【０００８】
図１は本考案の冷暖房剤収納具の斜視図である。収納袋４の外側寸法は、深さ２５０ｍｍ、幅２００mmである。布生地は撥水性のものを使用し偏平の収納袋４の入り口の両側には肩掛けベルト６が付いている。
肩掛けベルト６にゴムパッド２を取り付けることにより、肩からの滑り止めとする。
入り口７を開閉するために縛り紐１を取り付け、入り口７を閉じたり開けたりするためにストッパー５を設ける。
腕の大きさが人それぞれなので従来公知のアジャスターを備えた脱着部品３で肩掛けベルト６の長さを調整し、なおかつ服を着たままでも脱着することができる。
保冷剤を付属のタオル生地袋８に入れ使用することにより快適な温度で使用することができる。
【産業上の利用可能性】
【０００９】
暑い時のスポーツ時、暑い仕事時の、熱中症予防対策や、寝苦しい夜の快眠対策。
寒い時のスポーツ前の体を暖めたい時、寒い場所での仕事中の温暖対策などの時に装着し体の体温を調整するために使用する。
南国や製鉄所などの暑い環境で働く人たちの熱中症や、北国や冷凍作業など寒い環境で働く人たちのや冷え症などによる体調不良を予防・改善することで作業現場の労働力をより一層向上させる。
【符号の説明】
【００１０】
１、縛り紐
２、ゴムパッド（滑り止め）
３、アジャスター付脱着部品
４、収納袋
５、ストッパー
６、肩掛けベルト
７、入り口
８、タオル生地袋
９、保冷剤
10、使用する人
11、冷暖房剤収納具装着イメージ
【図１】
0003177955.tif 000003
【図２】
0003177955.tif 000004
【図３】
0003177955.tif 000005
(57)【要約】      （修正有）【課題】鉄骨支柱の隅部を自動車との衝突時の衝撃から保護でき容易に取り付け可能な保護材を提供する。【解決手段】保護材１０は、鉄骨支柱１の隅部を覆うＬ字状で、樹脂、ゴム等で一体成形され、補強体１３を表面壁１１と裏面壁１２の間に、適宜の間隔で形成して、空間１４を有する構造である。さらに、裏面壁１２にドリル等で孔を明けて、その孔に磁石２０が装着してある。この磁石２０は、鉄製の鉄骨支柱１にくっつき、保護材１０を鉄骨支柱１に装着維持できる。保護材１０の裏面壁１２に接着剤を塗布することにより、堅固に鉄骨支柱１に装着される。【選択図】図１
0003177903.tif 000002
【実用新案登録請求の範囲】
【請求項１】
磁石がくっつく部材を覆おう保護材であって、
保護材に磁石を装着してなることを特徴とする保護材。
【請求項２】
請求項１の保護材であって、
磁石がくっつく部材は駐車場に立設の角柱であり、保護材を前記角柱の隅部を覆う形状であることを特徴とする保護材。
【考案の詳細な説明】
【技術分野】
【０００１】
本願考案は、例えば、鉄骨等がむき出しの立体駐車場において、自動車との衝突時の衝撃を和らげる保護材に関する。
【背景技術】
【０００２】
図２は、立体駐車場の部分図であり、立体構造物の鉄骨支柱（図は角柱）１は適宜の間隔で立設してあり、その手前の空間は、車の駐車スペースである。
そして、車を止めるに当たって、車止めブロック５が配置してあり、車の車輪はその車止めブロック５で停止して、鉄骨支柱１には当たらないようになっている。
【０００３】
しかしながら、車止めブロック５を乗り越えて、あるいは車止めブロック５をパスして、車が移動するとき、車が鉄骨に当たったときの衝撃等を和らげるため、鉄骨支柱１の隅部には、合成樹脂で製作の保護材１０が取り付けてある。
そして、この保護材１０を鉄骨支柱１に取り付けるに当たって、図3に示すように、保護材１０の内側に接着剤（図示略）を塗布すると共に貼着した両面テープ５０によって鉄骨支柱１に装着する。即ち、保護材１０は、前記接着剤が固化するまで、一時的に両面テープ５０で接着状態が維持されている。
なお、この保護材１０及び保護材の取り付け方式は、よく知られているので、文献列挙を省く。
【考案の概要】
【考案が解決しようとする課題】
【０００４】
保護材を鉄骨支柱に装着するに当たって、前記したように、両面テープを使用して施工するので、この両面テープを保護材に貼着するには手間がかかる。
そこで、本願考案は、簡便に、鉄骨支柱等に装着する保護材を提供するものである。
【課題を解決するための手段】
【０００５】
請求項１の保護材は、磁石がくっつく部材を覆おう形状であり、この保護材には磁石が装着してある。
また、請求項２の保護材は、磁石がくっつく部材は駐車場に立設の角柱であり、保護材を前記角柱の隅部を覆う形状である。
【考案の効果】
【０００６】
本考案の保護具は、簡便に鉄骨支柱等に装着することができる。
【図面の簡単な説明】
【０００７】
【図１】鉄骨支柱の断面図と保護材の斜視図である。
【図２】車の駐車場の概念図である。
【図３】保護材を支柱に取り付ける従来の概念図である。
【考案を実施するための形態】
【０００８】
本願考案を図を参照して説明する。図１は、図２で説明の駐車場（車庫を含む）等に立設の鉄骨支柱１と保護材１０である。
この鉄骨支柱１は鉄板を四角に形成の角柱であり、磁石がくっつく磁性体である。
一方、保護材１０は、角柱１の隅部を覆うＬ字状で、従来と同じ形状である。
この保護材１０は樹脂、ゴム等で一体成形され、補強体１３を表面壁１１と裏面壁１２の間に、適宜の間隔で形成して、空間１４を有する構造である。
そして、前記保護材１０の空間１４は、表面壁１１から車が衝突したとき、クッション作用をして衝撃を和らげて、車と支柱１の損傷回避を図る。
【０００９】
また、前記保護材１０は、適宜の箇所に、裏面壁１２にドリル等で孔を明けて、その孔に磁石２０が装着してある。この磁石２０は、鉄製の支柱１にくっつき、保護材１０を支柱１に装着維持できる。
【００１０】
そこで、保護材１０を鉄骨支柱１に堅固に装着するには、先ず、保護材１０の裏面壁１２に接着剤（図示略）を塗布する。そして、保護材１０を鉄骨支柱１の隅部を覆う状態で装着すると、前記保護材１０に装着の磁石２０は鉄骨支柱１にくっつき、保護材１０は隅部に装着された状態を維持する。そして、時間が経過すると、前記裏面壁１２に塗布された接着剤が固化して、保護材１０は堅固に鉄骨支柱１に装着される。
【００１１】
以上のように、この磁石２０が装着された保護材１０は、従来の両面テープによる一時的な装着に比して、きわめて簡便に、接着剤が固化するまでの一時的な装着を可能にする。
尚、保護材１０は、鉄骨支柱１に対して適用できる旨を例示したが、磁石２０により、一時的に装着維持可能な鉄筋支柱或いは鉄骨鉄筋支柱等にも適用できるし、更には、隅部の他に平面状の壁や筋交い等にも、磁石を付設の保護材の形状を選定して適用できる。
【符号の説明】
【００１２】
１  鉄骨支柱
１０  保護材
１１  表面壁
１２  裏面壁
１３  補強体
２０  磁石
【図１】
0003177903.tif 000003
【図２】
0003177903.tif 000004
【図３】
0003177903.tif 000005
(57)【要約】      （修正有）【課題】ガスコンロ等のグリルで焼魚などの料理の調理後、グリルを洗わなくても済む台所調理用品を提供する。【解決手段】金属製のトレーに金属製の波状板を収めた台所調理用品であり、市販のアルミ泊をその形状に合わせて敷き、直接その上に魚などの食材を載せてガスコンロ等のグリルで調理する。アルミ泊が食材から出る油脂や肉汁を受け止めてグリル内の汚れを防ぐ為、調理後はアルミ泊を捨てるだけでグリル及びトレーを洗う必要は無い。【選択図】図１
0003177989.tif 000002
【実用新案登録請求の範囲】
【請求項１】
本考案は、ガスコンロ等の片面焼きグリルを使用して焼魚などを調理する台所調理用品である。
作製方法は、金属を材質に使用した波状の板［図１］及びトレー［図２］を作製し双方を組み合わせる［図３］
使用方法は、波状の板を組み合わせたトレーに市販のアルミ泊をその形状に合わせて敷き、直接その上に魚などの食材を載せる。
次に、ガスコンロ等のグリルの焼網を外し、グリルの受け皿の上にそのトレーを載せ調理する。
又、魚や肉から出る油脂に引火するのを防ぐ為、波状の凹部に水を入れる。
【考案の詳細な説明】
【技術分野】
【０００１】金属を材質に使用した波状の板［図１］及びトレー［図２］を作製し双方を組み合わせる［図３］
【背景技術】
【０００２】◎グリルの焼き網にアルミ泊を着脱させる為の器具
◎グリルの受皿に魚油吸収シートを敷く
【先行技術文献】
【０００３】
【特許文献】
【特許文献】特許公開２００３−１００５２
【０００４】
【特許文献】実用新案第３１６７１０２号
【考案の概要】
【０００５】本考案は、ガスコンロ等の片面焼きグリルを使用して焼魚などを調理する台所調理用品である。
【考案が解決しようとする課題】
【０００６】ガスコンロ等のグリルを使って焼魚などの料理を作ると、調理後の後片付けが大変面倒なのでグリルを洗わなくても済むようにしたい。
【課題を解決するための手段】
【０００７】本考案［図３］のトレーに市販のアルミ泊を波板の形状に合わせて敷き、直接その上に魚などの食材を載せる。
ガスコンロ等のグリルの網を外し、その受け皿の上にトレーを載せて調理する。
【考案の効果】
【０００８】調理後はアルミ泊を捨てるだけでグリル、及びトレーは洗う必要が無い。
【図面の簡単な説明】
【０００９】
【図１】波状の板の作製図
【図２】トレーの作製図
【図３】波状の板とトレーを組み合わせた図
【考案を実施するための形態】
【００１０】波状の板（図１）とトレー（図２）を組み合わせたもの（図３）に市販のアルミ泊を波状の板の形状に合わせてて敷く。
【実施例】
【００１１】ガスコンロ等の片面焼きグリルの受け皿の上に載せて焼魚・焼肉・焼きおにぎり・焼き野菜などを調理する。
尚、焼魚・焼肉などの油脂の出る食材はそれに引火する危険がある為、波状の凹部分に水を入れる。
【産業上の利用可能性】
【００１２】天ぷらやフライなどの揚げ物料理を作った時の油切りに利用可能。
油を切った後は本考案のトレーに着脱するアルミ泊を捨てるだけでトレーを洗う必要は無い。
【符号の説明】
【００１３】（図１）
波状の板は、凹凸の高低を１５ミリ前後で作製し外形をトレーの大きさに合わせる。
（図２）
トレーは、グリルの種類によって受け皿の大きさが違う為、外寸２１０×２７０×３０（ミリ）を基準に、大・中・小を作製する。
尚、トレーの上部は外側に折返す。
（図３）
トレーと波状の板を組合わせた図
【図１】
0003177989.tif 000003
【図２】
0003177989.tif 000004
【図３】
0003177989.tif 000005
【手続補正書】
【提出日】平成24年6月7日(2012.6.7)
【手続補正１】
【補正対象書類名】実用新案登録請求の範囲
【補正対象項目名】全文
【補正方法】変更
【補正の内容】
【実用新案登録請求の範囲】
【請求項１】
金属製のトレ−に金属製の波状板を収めたことを特徴とする台所調理用品。
(57)【要約】【課題】  投げつりにおいて遠投すると海底のかけ上がりや沈みテトラポッド又、沈み磯に道糸がこすれたり、錘や仕掛けが掛かったりするが、錘や仕掛けを海面近くまで浮き上がらせ根掛かりや又、釣れた魚を岩の中やテトラポッドの中に潜り込ませず取り込める錘浮かしを提供する。【解決手段】  金属板やプラスチック又、合成樹脂などの変形しない丈夫な素材にて平板を三角形に形成しその下部に角度を付けた平板を縦に取り付け、更にその下部にパイプを取り付け、そのパイプには溝を設け、更にそのパイプの両端には溝を設けたパイプを挿通し天秤錘の軸に取り付ける錘浮かし。【選択図】図１
0003177988.tif 000002
【実用新案登録請求の範囲】
【請求項１】
左右対称に一定の角度を持つ羽根２と該羽根２の上部に設けた浮子１と前記羽根２の下方に設けた切り溝を有する筒体５と、該筒体と羽根との角度を一定に保持する羽根固定部４と前記筒体の両端に回転可能な切り溝を有する保持体６と空なることを特徴とする錘浮かし。
【請求項２】
前記羽根２の下部両端に垂直翼を設けたことを特徴とする請求項１記載の錘浮かし。
【考案の詳細な説明】
【技術分野】
【０００１】
本考案は、投げつり用天秤錘を浮かす事に関するものである。  
【背景技術】
【０００２】
従来からの投げつりは天秤錘と釣り仕掛けを用い真下より前方に向かって投げて釣りをしていた。
【０００３】
主に海底が砂地ばかりが良いが、時にして手前に沈み磯や沈みテトラポッド又、海藻の茂み等が在った場合釣れた魚がそこへ潜り込んだり又、錘が引っ掛かったりして取り込めなくなる場合が多い。
【０００４】
沈み磯や沈みテトラポッドばかりでなく海藻や海底に沈んでいるロープ等にも引っ掛かって取り込みが出来なくなる場合がある。
【０００５】
海底に沈めてある漁礁や沈み瓦礫にも釣れた魚が潜り込んだり錘が引っ掛かったりする。
【０００６】
一旦魚が潜り込んだり錘が引っ掛かったりすると容易には外れず道糸を切る羽目になる。
【０００７】
道糸が切れて仕掛けや天秤錘など無くすと一から仕掛けや天秤錘をセットしなくてはならないので釣り時間の無駄となる。
【０００８】
天秤錘や仕掛けなどを海底に残しておくと海を汚したり郊外になったりする。
【０００９】
釣り糸を海底や海中などに残しておくと海鳥などに巻きつき死滅させる恐れがある。
【考案の概要】
【考案が解決しようとする課題】
【００１０】
本考案は投げつりにおいてつれた魚や天秤錘、更に仕掛けなどを海中や海底に残さない様にして投げつりを楽しむ為になされたものである。
【課題を解決するための手段】
【００１１】
プラスチック板や金属板又は合成樹脂板等変形しない丈夫な素材にて三角形に形成し且つ、角度を着け上部には浮子を装備し下部にはパイプ上のものを取り付ける。
【００１２】
下部に取り付けたパイプ状の物の下側には溝を付けその溝の両端には別の溝をつけたリング状の物を形成する。
【００１３】
天秤錘の軸をパイプ状の物の溝に嵌め込み両端のリング状のものを半回転させ嵌め込み部分を塞ぐ。
【００１４】
本体下部のパイプ状のものは天秤錘の軸より僅かに太い物とし天秤錘の軸に装着した時軸を中心に容易に回転する物とする。
【考案の効果】
【００１５】
魚が釣れたり手返しの際にはこの錘浮かしの効果で天秤錘が海面すれすれに浮いてくるので根掛かり等回避するので投げつりを安心して楽しむことが出来る。
【図面の簡単な説明】
【００１６】
【図１】本考案の錘浮かしの斜視図である。
【図２】本考案の錘浮かしの正面図である。
【図３】本考案の錘浮かしの側面図である。
【考案を実施するための形態】
【実施例】
【００１７】
以下添付図面に従って実施例を説明する。
図１、図２、図３、においてさびない又、変形しない金属やプラスチック又、合成樹脂等適宜素材にていったい成型された錘浮かしを示す。
【００１８】
図１、図２、図３について説明すると、図中１は浮力をもった浮子、２は上昇角度を持った羽根、３は直線性を保持する為の垂直翼、４は羽根２の上昇角度を持たす為の羽根固定部、５は下部又は側部に切り込みを入れた筒体、６は天秤錘の軸が外れないようにする保持体である。
【００１９】
投げつり用の天秤錘の道糸側の軸を図中５の下部及び側部の切り込み溝よりパイプ状の中に嵌め込み６の切込みを持ったリング状の保持体を半回転させることにより筒体５の切り込み溝を塞ぎ装着する。
【００２０】
投げつり用天秤錘に錘浮かしを装着後前方に投入する。
【００２１】
投入後海底に着座した状態の時は錘浮かし本体上部に装着した浮子により常に上昇形態にある。
【００２２】
本錘浮かしは魚が釣れた場合のみならず如何なる場合でも道糸を早く巻き上げれば投げつり用天秤錘は海面まで上昇し根掛かり又、釣れた魚が岩場などに潜り込ませず底を切ることが出来る。
【符号の説明】
【００２３】
１、浮子
２、羽根
３、垂直翼
４、羽根固定部
５、筒体
６、保持体
【図１】
0003177988.tif 000003
【図２】
0003177988.tif 000004
【図３】
0003177988.tif 000005
(57)【要約】      （修正有）【課題】ゴミ箱等に固定せず、ゴミ袋を開口したまま、ゴミを集収でき、同時に持ち運びを容易に行うことができる治具を提供する。【解決手段】筒状であり、把っ手を備える。【選択図】図２
0003177985.tif 000002
【実用新案登録請求の範囲】
【請求項１】
ゴミ袋の投入口を開いた状態に維持するための筒状の治具。
【請求項２】
ゴミ袋の口を開いた状態に維持するための治具に、持ち運び用の把っ手を備える。
【考案の詳細な説明】
【技術分野】
【０００１】本考案は、家庭や事業所から排出されるゴミ（廃棄物）の収納袋（ポリエチレン等の樹脂製）の投入口の治具に関するものである。
【背景技術】
【０００２】ゴミ袋の大半は、専用のゴミ箱にセットされ、内袋として使用されている。袋の容量の規格は３０Ｌ・４５Ｌ・７０Ｌ・９０Ｌが代表的サイズである。中でも４５Ｌの使用量が多く、３０Ｌは室内用、７０Ｌ・９０Ｌは事業者用とされる。【０００３】ゴミ袋はゴミ箱などの専用ボックスに内袋としてセットしないで使用される機会も多い。
即ち、公園や道路のゴミ拾いや収集、農園での廃棄物回収、運動場や催事場のゴミの回収等である。これ等の機会ではゴミ袋の投入口は頻繁に開け閉めしなければならず、不便である。所要の時間、袋は開口状態を維持したい。【０００４】ゴミ箱にセットされていないゴミ袋は、収納量が少ないときは風に飛ばされやすく、ゴミの量が増えてくると、投入口からゴミがあふれる等安定を欠くのみならず、持ち運び（移動）も容易でなくなる。
【考案の概要】
【考案が解決しようとする課題】
【０００５】ゴミ袋をゴミ箱などに固定（セット）しない状態で使用する場合、袋の投入口を開いたままの状態に維持して、ゴミの投入等を容易にしたい。さらに、この状態でゴミを収納した袋を持ち運び・移動を容易にしたい。
【課題を解決するための手段】
【０００６】請求項１、の考案は、ゴミ袋の投入口に装着する筒状の治具をつくることである。治具は図１の如く、円筒形でも方形の筒でもよい。筒の材質はポリエチレンや塩化ビニールなどのプラスチックが良く、金属製の籠であっても良い。ゴミ袋を治具に装着する方法は、ゴムバンドが良い。【０００７】請求項２の考案は、図２−３のように筒状の治具に把っ手を装着することである。これにより、ゴミ袋は開口した状態でを保ちながら、持ち運び・移動が容易となる。たとえば公園のゴミの収集は、歩きながらでも容易に作業できることになる。
【考案の効果】
【０００８】本考案によれば、ゴミ袋をゴミ箱などセットしない場合に、ゴミの投入口を所要の時間、開口の状態を維持できる。また、ゴミ袋を開口した状態で持ち運び移動させる場合、本考案になる治具に装着した把っ手を利用することが出来、便利である。【０００９】本考案になる治具に装着したゴミ袋は、ゴミの収納量が増えると、図６−４のように治具の下に落ちる。ゴミの収納を終えると、袋は治具の下方から容易にとり出すことが出来る【００１０】本考案になる治具は一定の高さ（深さ）がある。このため、ゴミ箱にセット  しないでも少なくとも治具の高さのゴミ入れが形成（実現）され、従ってゴミは投入しやすく、その上ゴミはこぼれにくく便利である。
【図面の簡単な説明】
【００１１】
【図１】は本考案になる治具で方形と円形の筒
【図２】把っ手を装着した治具
【図３】円筒形の治具の正面図
【図４】円筒形の治具の上面図
【図５】円筒形の治具の下面図
【図６】ゴミ袋を治具にセットした断面透視図
【考案を実施するための形態】
【００１２】本考案になる治具の大きさは、ゴミ袋の規格の中、流通量の多い、４５Ｌ容量の袋を想定した。即ち治具の外周は１３０ｃｍ  高さ（深さ）２５ｃｍ前後ある事が望ましい。
【００１３】本考案になる治具の素材は、ポリエチレンやポリプロピレンなどの樹脂が望ましい。本考案者は本考案の実証テストをスーパーマケットの買い物籠の底部を切除して治具と為し、４５Ｌのポリ袋をセットして行ったが、満足できるものであった。
【実施例】
【００１４】以下図面に従って説明する。
図１は、本考案になる治具の斜視図。
図２は、治具に把っ手（手下げ）を装着した図。底のない買い物籠、底のないバケツの構造である。
図６は、治具にゴミ袋をセットした図
【符号の説明】
【００１５】  １  方形の治具
２  円筒の治具
３  把っ手
４  ゴミ袋
【図１】
0003177985.tif 000003
【図２】
0003177985.tif 000004
【図３】
0003177985.tif 000005
【図４】
0003177985.tif 000006
【図５】
0003177985.tif 000007
【図６】
0003177985.tif 000008
【手続補正書】
【提出日】平成24年5月9日(2012.5.9)
【手続補正１】
【補正対象書類名】実用新案登録請求の範囲
【補正対象項目名】全文
【補正方法】変更
【補正の内容】
【実用新案登録請求の範囲】
【請求項１】
ゴミ袋開口冶具であって、筒状であることを特徴とする冶具。
【請求項２】
冶具に持ち運び用の把っ手を備えることを特徴とする請求項１記載の冶具。
(57)【要約】      （修正有）【課題】競技者が練習によって得られた一番良いと感じるグリップの把持位置を正確に把持できるようにする突起ポイント付きテープを提供する。【解決手段】テープ片面全体に粘着剤が塗布してあり、その反対面に突起ポイントを配置する。【選択図】図１
0003177990.tif 000002
【実用新案登録請求の範囲】
【請求項１】
グリップ位置特定用突起ポイント付きテープは、テープ片面全体に粘着剤が塗布してあり、その反対面にテープ面より飛び出した突起ポイントを配置し、パターグリップの表面に密着しやすい柔軟性を持ったグリップ位置特定用突起ポイント付きテープ。
【請求項２】
グリップ位置特定用突起ポイント付きテープは、寸法が厚さは５ｍｍ以下、縦幅と横幅はパターグリップの１．５倍の長さ以下のグリップ位置特定用突起ポイント付きテープ。
【請求項３】
グリップ位置特定用突起ポイント付きテープは、突起ポイント数が１個以上１５個以下を配置したグリップ位置特定用突起ポイント付きテープ。
【請求項４】
グリップ位置特定用突起ポイント付きテープの突起ポイントの大きさは、縦・横・高さがそれぞれ２ｍｍ以上１０ｍｍ以下の範囲内とし、その硬さは、把持した時に親指の腹又は手のひらで押さえてもつぶれない硬度を有するグリップ位置特定用突起ポイント付きテープ。
【請求項５】
グリップ位置特定用突起ポイント付きテープの色は、貼り付けようとするパターグリップの色や模様を隠さない透明色を含むグリップ位置特定用突起ポイント付きテープ。
【考案の詳細な説明】
【技術分野】
【０００１】本考案は、ゴルフパターのグリップに関するものである。
【背景技術】
【０００２】ゴルフパターのグリップには、握りやすい形状や滑り止めのほか、メーカーのロゴマークを施すなど競技者が把持しやすい工夫がなされているが、競技者個々のグリップの把持する位置を特定する方法が無かった。【０００３】競技者がグリップの一番良いと感じる把持位置を探り当てても、次に握り直した時には必ずしもその位置で無いことがあるため、何回握り直してもグリップの一番良いと感じる把持位置を把持することができれば競技の向上が図れる。
【考案の概要】
【０００４】考案品をゴルフパターのグリップ部分に貼り付けることにより、競技者がグリップを把持する場合、常にグリップの一番良いと感じる把持位置を把持できるようにしたもの。
【考案が解決しようとする課題】
【０００５】競技者が練習によりグリップの一番良いと感じる把持位置を見つけた場合、グリップ表面上に線を引き目印を付ければ視覚的には解決できるが、実際に把持すると手先や指先でその目印が隠れてしまい、目指すグリップの一番良いと感じる把持位置を正確に把持することができなかった。
【課題を解決するための手段】
【０００６】考案したグリップ位置特定用突起ポイント付きテープには、グリップ位置特定用突起ポイント付きテープの中心を基点として１つ以上の突起ポイントを有している。【０００７】このグリップ位置特定用突起ポイント付きテープを、個々の競技者が練習によって得られた一番良いと感じるグリップの把持位置の表面に貼り、実際にグリップを把持するときには、貼り付けたグリップ位置特定用突起ポイント付きテープの突起ポイントを指の腹又は手のひらで探り当て、その突起ポイントに合わせて把持すれば、視覚に頼ることなく、常にグリップの一番良いと感じる把持位置を正確に把持できる。【０００８】なお、競技者によってそのグリップの一番良いと感じる把持位置は様々であるが、グリップ位置特定用突起ポイント付きテープにはグリップと接する面だけ粘着剤が塗布されているため、グリップ上の自由な位置に貼り付け固定化することができる。
【考案の効果】
【０００９】ゴルフパターのストロークにおいては、一定のリズムでストロークする事、手先や指先に全神経を集中する事が重要である。【００１０】［０００９］で述べた一定のリズムでストロークするには、グリップの把持位置とボールとの間隔が重要である。振り子時計を例にとると、振り子の分銅位置でシャフトの長さを決めることで一定の振幅（リズム）運動をさせているが、パターストロークにおいても、グリップの把持位置が決まれば、パターヘッドから把持位置までの長さが決まる。すなわち、シャフトの長さが決まるので、常に一定のリズムでストロークができる。【００１１】［０００９］で述べた手先や指先に全神経を集中するには、ストロークする時にテープの突起ポイント部分すなわちグリップの一番良いと感じる把持位置を強く押さえることにより、突起ポイントからくる触感圧の刺激によって手先や指先に全神経を集中させることができる。
【図面の簡単な説明】
【００１２】
【図１】本考案の斜視図  （ａ）突起ポイントが１個の例  （ｂ）突起ポイントが３個の例
【図２】本考案をグリップに貼り付けした斜視図  （ａ）グリップ位置特定用突起ポイント付きテープをグリップ表面に巻く様に貼った例  （ｂ）グリップ位置特定用突起ポイント付きテープをグリップ表面に平面的に貼った例
【図３】本考案をグリップ表面に貼り付けし、把持した斜視図
【符号の説明】
【００１３】１  突起ポイント
２  グリップ位置特定用突起ポイント付きテープ
３  グリップ
４  シャフト
５  グリップを把持している手先部分
６  親指の腹部分で押さえられている突起ポイント
【図１】
0003177990.tif 000003
【図２】
0003177990.tif 000004
【図３】
0003177990.tif 000005
【手続補正書】
【提出日】平成24年5月18日(2012.5.18)
【手続補正１】
【補正対象書類名】実用新案登録請求の範囲
【補正対象項目名】全文
【補正方法】変更
【補正の内容】
【実用新案登録請求の範囲】
【請求項１】
グリップ位置特定用突起ポイント付きテープは、テープ片面全体に粘着剤が塗布してあり、その反対面にテープ面より飛び出した突起ポイントを配置し、パターグリップの表面に密着しやすい柔軟性を持ったグリップ位置特定用突起ポイント付きテープ。
【請求項２】
グリップ位置特定用突起ポイント付きテープの寸法は、厚さは５ｍｍ以下、縦幅と横幅はパターグリップ表面を全て包み込む長さの１．５倍の長さ以下であることを特徴とする請求項１に記載されたグリップ位置特定用突起ポイント付きテープ。
【請求項３】
グリップ位置特定用突起ポイント付きテープは、突起ポイント数が１個以上１５個以下を配置したことを特徴とする請求項１に記載されたグリップ位置特定用突起ポイント付きテープ。
【請求項４】
グリップ位置特定用突起ポイント付きテープの突起ポイントの大きさは、縦・横・高さがそれぞれ２ｍｍ以上１０ｍｍ以下の範囲内とし、その硬さは、把持した時に親指の腹又は手のひらで押さえてもつぶれない硬度を有することを特徴とする請求項１に記載されたグリップ位置特定用突起ポイント付きテープ。
【請求項５】
グリップ位置特定用突起ポイント付きテープの色には特に制限は無いが、貼り付けようとするパターグリップの色や模様を隠さない透明色を含むことを特徴とする請求項１に記載されたグリップ位置特定用突起ポイント付きテープ。